(57)【要約】【課題】トイレ内を清潔に保ちトイレ内が臭くなることを防ぎ、衛生的で見た目を良くする、尿収集盤の自動洗浄装置を提供する。【解決手段】尿収集盤の自動洗浄装置は、小便器１０、尿収集領域１１、格子メッシュ１３、洗浄装置１４及び排水管群１５を備える。小便器１０は、壁面２に取り付けられる。尿収集領域１１は、小便器１０の下方で壁面２に接続された床３に形成される。床３には、尿収集領域１１と連通した排出領域１２が形成される。格子メッシュ１３は、尿収集領域１１上に架設される。洗浄装置１４は、尿収集領域１１へ向けて床３に設置される。排水管群１５には、小便器１０及び排出領域１２が取り付けられ、汚水を排出する。尿収集領域１１の床３は、排出領域１２に向かって傾いている。洗浄装置１４は、水洗コントローラ１４０と、水洗コントローラ１４０と接続されて液体を輸送する輸送管１４２とを含む。【選択図】図１
0003207207.tif 000002
【実用新案登録請求の範囲】
【請求項１】
小便器、尿収集領域、格子メッシュ、洗浄装置及び排水管群を備えた尿収集盤の自動洗浄装置であって、
前記小便器は、壁面に取り付けられ、
前記尿収集領域は、前記小便器の下方で前記壁面に接続された床に形成され、前記床には、前記尿収集領域と連通した排出領域が形成され、
前記格子メッシュは、前記尿収集領域上に架設され、
前記洗浄装置は、前記尿収集領域へ向けて前記床に設置され、
前記排水管群には、前記小便器及び前記排出領域が取り付けられ、汚水を排出することを特徴とする尿収集盤の自動洗浄装置。
【請求項２】
前記尿収集領域の前記床は、前記排出領域に向かって傾いていることを特徴とする請求項１に記載の尿収集盤の自動洗浄装置。
【請求項３】
前記排水管群は、前記小便器と接続された第１の排水管と、前記排出領域と接続された第２の排水管と、前記第１の排水管及び前記第２の排水管と接続された吐出管と、を含むことを特徴とする請求項１に記載の尿収集盤の自動洗浄装置。
【請求項４】
前記洗浄装置は、水洗コントローラと、前記水洗コントローラと接続されて液体を輸送する輸送管と、を含むことを特徴とする請求項１に記載の尿収集盤の自動洗浄装置。
【考案の詳細な説明】
【技術分野】
【０００１】
本考案は、尿収集盤に関するもので、さらに詳しくは、特に、定期的に尿収集盤を自動洗浄する尿収集盤の自動洗浄装置に関するものである。
【背景技術】
【０００２】
公衆トイレは、多くの者が外出中、用をたすためによく利用する場所である。男性用トイレでは、小便器が最も多く使用され、小便器は男性の使用習慣に合っているため便利である。現在市販されている小便器には様々な形式のものがあるが、主に床置式及び壁掛式の２種類が利用されている。しかし公衆トイレは様々な年齢層及び異なる使用習慣を有する者が利用するため、床に尿が滴り落ちて尿臭が発生してトイレ全体が臭くなり、トイレの衛生環境が悪化したり、尿液を踏んだ靴で歩き回ることにより汚染が広がって衛生環境に悪影響を及ぼして病原菌が伝染したりする虞もあった。
【０００３】
上述したような問題点を改善するために、小便器の下方に尿収集盤を設置し、滴り落ちる尿液を尿収集盤に集め、床に尿が滴り落ちてトイレ全体が臭くなる問題点を改善することができたが、尿収集盤を一定期間使用した後に交換又は洗浄しない場合、依然として臭いにおいを改善することはできなかった。
【考案の概要】
【考案が解決しようとする課題】
【０００４】
本考案の主な課題は、床下に尿収集領域を設置するとともに格子メッシュを取り付け、尿収集領域に尿液が滴り落ちることにより、トイレ内の空気を汚染することを防止するとともに、人手による洗浄が不完全であった従来の問題点を改善する手段を提供することにある。
本考案のもう一つの課題は、滴り落ちる尿液を受けてトイレ内を清潔に保ち、トイレ内が臭くなることを防ぎ、衛生的で見た目を良くする手段を提供することにある。
【０００５】
すなわち、本考案の主な目的は、床下に尿収集領域を設置するとともに格子メッシュを取り付け、尿収集領域に尿液が直接滴り落ちるようにし、床内に設置した洗浄装置により、尿収集領域中に残った尿を直接洗浄し、自動洗浄することによりトイレ内の空気を清潔に保つとともに、人手による洗浄が不完全であった従来の問題点を改善する、尿収集盤の自動洗浄装置を提供することにある。
本考案のもう一つの目的は、小便器下方の床に排出領域を設置し、滴り落ちる尿液を受けてトイレ内を清潔に保ち、トイレ内が臭くなることを防ぎ、衛生的で見た目を良くする、尿収集盤の自動洗浄装置を提供することにある。
【０００６】
かくして、本考案の要旨は次の通りである。
（１）小便器、尿収集領域、格子メッシュ、洗浄装置及び排水管群を備えた尿収集盤の自動洗浄装置であって、
前記小便器は、壁面に取り付けられ、
前記尿収集領域は、前記小便器の下方で前記壁面に接続された床に形成され、前記床には、前記尿収集領域と連通した排出領域が形成され、
前記格子メッシュは、前記尿収集領域上に架設され、
前記洗浄装置は、前記尿収集領域へ向けて前記床に設置され、
前記排水管群には、前記小便器及び前記排出領域が取り付けられ、汚水を排出することを特徴とする尿収集盤の自動洗浄装置。
（２）前記尿収集領域の前記床は、前記排出領域に向かって傾いていることを特徴とする前記（１）に記載の尿収集盤の自動洗浄装置。
（３）前記排水管群は、前記小便器と接続された第１の排水管と、前記排出領域と接続された第２の排水管と、前記第１の排水管及び前記第２の排水管と接続された吐出管と、を含むことを特徴とする前記（１）に記載の尿収集盤の自動洗浄装置。
（４）前記洗浄装置は、水洗コントローラと、前記水洗コントローラと接続されて液体を輸送する輸送管と、を含むことを特徴とする前記（１）に記載の尿収集盤の自動洗浄装置。
【考案の効果】
【０００７】
本考案は、前記の通りの構成からなり、尿液を尿収集領域に直接滴り落ちるようにしたものであり、尿収集領域に滴り落ちた尿液は、洗浄装置で自動的に洗浄されるので、トイレ内の臭気が滞留することを防止し、空気を清浄に保持することができる。
【図面の簡単な説明】
【０００８】
【図１】図１は、本考案の一実施形態に係る尿収集盤の自動洗浄装置の側面を示す断面図である。
【図２】図２は、本考案の一実施形態に係る尿収集盤の自動洗浄装置が小便器を洗浄して排水するときの状態を示す断面図である。
【図３】図３は、本考案の一実施形態に係る尿収集盤の自動洗浄装置の自動洗浄尿収集領域の使用状態の説明図である。
【図４】図４は、本考案の一実施形態に係る尿収集盤の自動洗浄装置を並べて使用する状態の説明図である。
【考案を実施するための形態】
【０００９】
図１を参照する。図１は、本考案の一実施形態に係る尿収集盤の自動洗浄装置の側面を示す断面図である。図１に示すように、本考案の一実施形態に係る尿収集盤の自動洗浄装置１は、少なくとも小便器１０、尿収集領域１１、排出領域１２、格子メッシュ１３、洗浄装置１４及び排水管群１５により構成されてなる。小便器１０は、壁面２に取り付けられる。尿収集領域１１は、小便器１０の下方で壁面２に接続された床３に形成される。床３には、尿収集領域１１と連通した排出領域１２が形成され、尿収集領域１１上には、格子メッシュ１３が架設される。洗浄装置１４は、尿収集領域１１へ向けて床３に設置される。使用者は架設された格子メッシュ１３上に立つことができる。格子メッシュ１３は、多数の中空が形成された格子を有するため、尿液が尿収集領域１１へ直接滴り落ちる。
【００１０】
排水管群１５は、第１の排水管１５０、第２の排水管１５２及び吐出管１５４を含む。第１の排水管１５０は、小便器１０と接続される。第２の排水管１５２は、排出領域１２と接続される。吐出管１５４は、第１の排水管１５０及び第２の排水管１５２と接続される。第１の排水管１５０及び第２の排水管１５２には、小便器１０及び排出領域１２が取り付けられ、汚水を排出する。
【００１１】
洗浄装置１４は、水洗コントローラ１４０と、水洗コントローラ１４０と接続されて液体を輸送する輸送管１４２とを含む。
【００１２】
図２及び図３を参照する。図２は、本考案の一実施形態に係る尿収集盤の自動洗浄装置が小便器を洗浄して排水するときの状態を示す断面図である。図３は、本考案の一実施形態に係る尿収集盤の自動洗浄装置の自動洗浄尿収集領域の使用状態の説明図である。図２及び図３に示すように、本考案に係る尿収集盤の自動洗浄装置の小便器１０には、壁掛式及び床置式があるが、本実施形態の小便器１０は壁掛式であり、小便器１０に接続された第１の排水管１５０は壁面２に埋設されている。尿収集領域１１は、小便器１０の下方で床３に形成される。床３には、尿収集領域１１と接続した排出領域１２が形成される。小便器１０を使用した後、使用者の体の位置を自動的に感知して水を散布し、小便器１０内に溜まった尿を洗い流し、洗浄に使用された水が第１の排水管１５０を通って吐出管１５４から排出され（点線矢印は小便器１０の汚水が排出される方向を示す）、小便器１０の洗浄を完了する。
【００１３】
上述したものは小便器１０の排水方式である。使用者の尿液が外側に滴り落ちると、尿収集領域１１が小便器１０下方の床３に位置するため、落下した尿液が小便器１０に滴り落ち、床３には、尿収集領域１１と接続された排出領域１２が形成される。この排出領域１２の位置は、小便器１０の側辺でもよいし（図２を参照する）中央部でもよい（図３を参照する）。第２の排水管１５２は、吐出管１５４に連通する。また、尿収集領域１１の床３が排出領域１２に向かって傾いているため、洗浄に使用した水が第２の排水管１５２を通って吐出管１５４から排出される。
【００１４】
また、洗浄装置１４は、水洗コントローラ１４０と、水洗コントローラ１４０と接続されて液体を輸送する輸送管１４２と、を含む。水洗コントローラ１４０は、定期的に自動制御するか、手動でマニュアル制御するが、その主な目的は水洗コントローラ１４０により出水を制御し、輸送管１４２により尿収集領域１１を洗浄し、洗浄後の汚水が第２の排水管１５２及び吐出管１５４を通って排出される（実線矢印は小便器１０を洗浄した後の汚水の排出方向を示す）。
【００１５】
本考案の一実施形態に係る尿収集盤の自動洗浄装置は、床下に尿収集領域１１が設置されるとともに格子メッシュ１３が取り付けられ、尿収集領域１１に尿液が直接滴り落ちるようにし、床内に設置した洗浄装置１４により、尿収集領域１１中に残った尿を直接洗浄する。このように本考案の尿収集盤の自動洗浄装置は、自動洗浄方式によりトイレ内の空気を清潔に保つとともに、人手による洗浄が不完全であった従来の問題点を改善することができる。
【００１６】
図４を参照する。図４は、本考案の一実施形態に係る尿収集盤の自動洗浄装置を並べて使用する状態の説明図である。図１〜図４に示すように、排出領域１２は、尿収集領域１１の側辺かつ小便器１０下方に位置し、図１〜図４を見ると分かるように、小便器１０を並べて設置する際、尿収集領域１１及び排出領域１２により小便器１０を配置する距離を設定することができる。言い換えると、各小便器１０に対応する尿収集領域１１と排出領域１２とを連通し、実際の小便器１０の配置数及び位置に応じて洗浄装置１４を取付けることにより、尿収集領域１１を十分に洗浄して尿が残留することを防ぐことができる。
【符号の説明】
【００１７】
１  自動洗浄装置
２  壁面
３  床
１０  小便器
１１  尿収集領域
１２  排出領域
１３  格子メッシュ
１４  洗浄装置
１５  排水管群
１４０  水洗コントローラ
１４２  輸送管
１５０  第１の排水管
１５２  第２の排水管
１５４  吐出管
【図１】
0003207207.tif 000003
【図２】
0003207207.tif 000004
【図３】
0003207207.tif 000005
【図４】
0003207207.tif 000006